(57)【特許請求の範囲】
【請求項１】
携帯端末機を用いた統合メッセージ送信方法であって、
メッセージ送信方式が互いに異なる少なくとも２つのチャンネルを含む複数のチャンネルを支援するメッセージ統合アプリケーションを制御部によって実行する過程と、
メッセージの入力のための入力窓を表示部によって表示する過程と、
前記入力窓に入力された前記メッセージを表示窓に表示する過程と、
隠された状態にある前記複数のチャンネルそれぞれのアイコンを表示するための使用者の選択を制御部によって受信する過程と、
前記使用者の選択に応答して前記複数のチャンネルそれぞれに対応するアイコンを表示する過程と、
前記複数のチャンネルの中で少なくとも１つの活性化されたチャンネルを用いて前記メッセージを受信人に送信する過程と、
前記表示窓に前記メッセージと互いに異なる送信方式のチャンネルを介して受信されたメッセージを表示する過程と、
前記メッセージを受信する受信人に関する情報又は前記メッセージを送信する送信人に関する情報を表示する過程と、を含むことを特徴とする、携帯端末機を用いた統合メッセージ送信方法。
【請求項２】
前記メッセージを送信する過程は、
前記入力窓に入力された前記メッセージのサイズとタイプを確認する過程と、
前記メッセージのサイズとタイプに符合するメッセージ送信方式のチャンネルを決定する過程と、
前記決定されたチャンネルを活性化して上記決定されたチャンネルを用いて前記メッセージを送信する過程と、を含むことを特徴とする、請求項１に記載の携帯端末機を用いた統合メッセージ送信方法。
【請求項３】
前記使用者の選択はチャンネル選択ボタンの選択によって遂行され、
前記複数のチャンネルそれぞれのアイコンが表示されるようにする使用者の選択が受信される場合、前記表示窓のサイズが減ることを特徴とする、請求項１に記載の携帯端末機を用いた統合メッセージ送信方法。
【請求項４】
前記複数のチャンネル中のいずれか１つが選択された場合、前記チャンネル選択ボタンは前記選択されたチャンネルに対応するアイコンに変更されて表示される過程と、
前記複数のチャンネル中のいずれか１つが選択された以後、前記複数のチャンネルそれぞれのアイコンはさらに隠し処理される過程と、
前記複数のチャンネル中のいずれか１つが選択され、前記チャンネル選択ボタンが選択された場合、前記表示された複数のチャンネルそれぞれのアイコンはさらに隠し処理される過程と、の中、いずれか１つの過程と、をさらに含むことを特徴とする、請求項３に記載の携帯端末機を用いた統合メッセージ送信方法。
【請求項５】
直前状態で引き返す（ｂａｃｋ）ための使用者の選択を受信する過程と、
前記隠された状態にある前記複数のチャンネルの中で選択されたチャンネルのアイコンと同一のアイコンが背景画面に表示される過程と、
前記表示窓に表示されるメッセージに対して選択されたチャンネルのタイプを示すアイコンが表示される過程の中、少なくとも１つの過程をさらに含むことを特徴とする、請求項１に記載の携帯端末機を用いた統合メッセージ送信方法。
【請求項６】
前記メッセージを送信する過程は、
前記メッセージが最も多く受信されたチャンネルで前記メッセージを送信する過程であることを特徴とする、請求項１に記載の携帯端末機を用いた統合メッセージ送信方法。
【請求項７】
前記メッセージを送信する過程において前記複数のチャンネルの中の第１チャンネルで前記メッセージを送信する際、エラーが発生すれば、前記第１チャンネルの次にメッセージが多く受信されたチャンネルで前記メッセージを送信する過程をさらに含むことを特徴とする、請求項６に記載の携帯端末機を用いた統合メッセージ送信方法。
【請求項８】
前記チャンネル選択ボタン上に選択されたチャンネルに対応するイメージを表示する過程をさらに含むことを特徴とする、請求項３に記載の携帯端末機を用いた統合メッセージ送信方法。
【請求項９】
前記複数のチャンネルの中で前記メッセージを送信することができないチャンネルは非活性化されて表示されることを特徴とする、請求項１に記載の携帯端末機を用いた統合メッセージ送信方法。
【請求項１０】
前記メッセージを受信する受信者に基づいて前記チャンネルを選択し、前記選択されたチャンネルによって前記メッセージを送信する過程と、
前記メッセージのサイズ又はタイプが前記活性化されたチャンネルと互換性がない場合、自動で他のチャンネルへの変更を提案する過程と、
前記メッセージに資料を添付することができる添付ボタンが表示されるか、又は前記メッセージに連結されているリンクボタンが表示される過程の中、少なくとも１つの過程をさらに含むことを特徴とする、請求項１に記載の携帯端末機を用いた統合メッセージ送信方法。
【請求項１１】
前記メッセージに資料を添付することができるアプリケーションを実行させることができる添付ボタンが前記表示部にさらに表示されることを特徴とする、請求項１に記載の携帯端末機を用いた統合メッセージ送信方法。
【請求項１２】
前記添付ボタンは添付された資料の個数を示す指示（ｉｎｄｉｃａｔｉｏｎ）を含むことを特徴とする、請求項１１に記載の携帯端末機を用いた統合メッセージ送信方法。
【請求項１３】
前記メッセージに資料を添付することができるアプリケーションを実行させることができる添付ボタンが前記表示部にさらに表示され、前記チャンネル選択ボタンは添付された資料の個数を示す指示（ｉｎｄｉｃａｔｉｏｎ）を含むことを特徴とする、請求項３に記載の携帯端末機を用いた統合メッセージ送信方法。
【請求項１４】
前記メッセージに添付された資料を指示（ｉｎｄｉｃａｔｅ）するサムネイルを表示する過程をさらに含むことを特徴とする、請求項１１又は請求項１３に記載の携帯端末機を用いた統合メッセージ送信方法。
【請求項１５】
前記メッセージの資料添付のための、資料をストアするチャンネルのアイコンからなるオプション窓を表示する過程と、
前記オプション窓が表示される際、前記資料が送信可能なチャンネルのアイコンを活性化して表示する過程と、
をさらに含むことを特徴とする、請求項１に記載の携帯端末機を用いた統合メッセージ送信方法。
【請求項１６】
前記メッセージに添付されるデータの容量が基準容量を超過するか、又は、前記メッセージに添付しようとするデータのタイプが前記送信可能なチャンネルのタイプと異なってアップロードされない場合、他のチャンネルへの変更を提案する過程をさらに含むことを特徴とする、請求項１５に記載の携帯端末機を用いた統合メッセージ送信方法。
【請求項１７】
携帯端末機を用いた統合メッセージ受信方法であって、
受信メッセージを表示窓に表示する過程と、
前記受信メッセージと連関された他の受信メッセージを検索する過程と、
前記受信メッセージに添付された資料が選択される場合、前記他の受信メッセージに添付された資料を検索する過程を含み、
前記他の受信メッセージに添付された資料を検索する前記過程は、
前記受信メッセージとタイプが同一の前記他の受信メッセージに添付された資料を検索する過程と、
前記受信メッセージとタイプが異なる前記他の受信メッセージに添付された資料を検索する過程を含む、ことを特徴とする携帯端末機を用いた統合メッセージ受信方法。
【請求項１８】
予め決定されたスクリーンタッチの信号に応答して前記添付された資料を実行するためのアプリケーションを実行する過程と、
前記受信メッセージの前記添付された資料を実行し、前記実行された資料を前記表示窓に表示する過程と、
前記資料が表示された前記表示窓にジェスチャーが感知される場合、前記アプリケーションを通じて前記他の受信メッセージに添付された資料を実行し、前記他の受信メッセージに添付された資料を前記表示窓に表示する過程と、
前記ジェスチャーを通じて使用者が前記受信メッセージの添付資料と前記他の受信メッセージの添付資料の間をナビゲーションすることができるように前記表示窓を制御する過程をさらに含むことを特徴とする、請求項１７に記載の携帯端末機を用いた統合メッセージ受信方法。
【請求項１９】
前記他の受信メッセージに添付された資料を受信された時間の手順によって表示する過程と、
前記受信されたメッセージのチャンネルを表示するメニュー窓を表示する過程をさらに含むことを特徴とする、請求項１７に記載の携帯端末機を用いた統合メッセージ受信方法。
【請求項２０】
前記メニュー窓はアイコン、サムネイル、コンテンツ、リスト、又はバー（ｂａｒ）中のいずれか１つであることを特徴とする、請求項１９に記載の携帯端末機を用いた統合メッセージ受信方法。
【請求項２１】
前記ジェスチャーはフリック（ｆｌｉｃｋ）、ドラッグ（ｄｒａｇ）、クリック（ｃｌｉｃｋ）、タッグ（ｔａｇ）又はタッチ（ｔｏｕｃｈ）中のいずれか１つであることを特徴とする、請求項１８に記載の携帯端末機を用いた統合メッセージ受信方法。
【請求項２２】
前記受信メッセージと連関された他のメッセージは前記メッセージと同一の使用者の他のメッセージ、前記受信メッセージと同一の受信人の他のメッセージ、前記受信メッセージと同一の送信人の他のメッセージ、前記受信メッセージと同一のディレクトリ内の他のメッセージ、又は前記受信メッセージと同一のフォルダ内の他のメッセージの中で少なくとも１つを含むことを特徴とする、請求項１７に記載の携帯端末機を用いた統合メッセージ受信方法。
【請求項２３】
携帯端末機を用いた統合メッセージ送信装置であって、
メッセージ送信方式が互いに異なる少なくとも２つのチャンネルを含む複数のチャンネルを支援するメッセージ統合アプリケーション駆動部と、
メッセージの入力のための入力窓を表示して前記入力窓に入力された前記メッセージを表示窓に表示する表示部と、
隠された状態にある前記複数のチャンネルそれぞれのアイコンを表示するための使用者の選択を受信し、前記使用者の選択に応答して前記複数のチャンネルそれぞれのアイコンを表示し、前記複数のチャンネルの中で少なくとも１つの活性化されたチャンネルによって前記メッセージを送信する制御部と、を含み、
前記制御部は、
前記複数のチャンネルそれぞれのアイコンが表示されるように使用者の選択を受信される場合、前記表示窓のサイズが減るように制御する、ことを特徴とする、統合メッセージ送信装置。
【請求項２４】
前記制御部は、
前記入力窓に入力された前記メッセージのサイズとタイプを確認し、
前記メッセージのサイズとタイプに符合されるメッセージ送信方式のチャンネルを決め、
前記決定されたチャンネルを活性化して前記決定されたチャンネルによって前記メッセージを送信することを特徴とする、請求項２３に記載の統合メッセージ送信装置。
【発明の詳細な説明】
【技術分野】
【０００１】
本発明は、携帯端末機における多様な類型のメッセージの統合管理に係り、特にメッセージの類型に関わらずメッセージを作成及び送信できる方法、及び上記方法が採用された装置に関する。
【背景技術】
【０００２】
技術の発展によって移動電話端末機の小型／軽量化がなされると共に携帯端末機が急激に普及している。上記携帯端末機は急速な技術発展と共に音声通話機能以外に多様な付加機能が追加された。例えば、携帯端末機は文字メッセージ送受信機能、写真撮影機能、音楽感想機能、デジタル放送サービス機能、電子メール（Ｅ−ｍａｉｌ）サービス機能、インスタントメッセンジャー（Ｉｎｓｔａｎｔ  Ｍｅｓｓｅｎｇｅｒ）サービス機能等を提供している。
【０００３】
上記携帯端末機は移動通信網に接続できるＣＤＭＡ無線通信モジュールを装着することによって、いつ、どこでも、使用者は移動通信網を用いるか、又は、移動通信網を通じるデータ通信をすることができるようになった。即ち、使用者は移動通信網のＳＭＳ（Ｓｈｏｒｔ  Ｍｅｓｓａｇｅ  Ｓｅｒｖｉｃｅ）サービスを用いるか、又は、  移動通信網のトラフィックチャンネルを通じるデータサービス、例えばＥ−ｍａｉｌ送受信ができるようになった。
【０００４】
上記移動通信網のＳＭＳと上記データ通信のＥ−ｍａｉｌ（Ｅメール）サービスは互いに相異する規約を使用している。例えば、ＳＭＳは移動通信網で規定した規約を使用しており、Ｅ−ｍａｉｌサービスはサーバーと約束されたＰＯＰ（Ｐｏｓｔ  Ｏｆｆｉｃｅ  Ｐｒｏｔｏｃｏｌ）／ＳＭＴＰ（Ｓｉｍｐｌｅ  Ｍａｉｌ  Ｔｒａｎｓｆｅｒ  Ｐｒｏｔｏｃｏｌ）を使用する。
【０００５】
このように別途のプロトコルによってサービスが成るので、ＳＭＳによるメッセージを管理（作成、表示、送信等）する応用プログラムとＥ−ｍａｉｌによるメッセージを管理する応用プログラムは携帯端末機内に独立して存在する。従ってこれらのメッセージは互いに独立したＤＢ（Ｄａｔａ  Ｂａｓｅ）において管理される。
メッセージは、ＳＭＳ、ＭＭＳ（Ｍｕｌｔｉｍｅｄｉａ  Ｍｅｓｓａｇｅ  Ｓｅｒｖｉｃｅ）、  Ｅ−ｍａｉｌ、Ｉｎｓｔａｎｔ  Ｍｅｓｓａｇｅ、又はＳＮＳ（Ｓｏｃｉａｌ  Ｎｅｔｗｏｒｋ  Ｓｅｒｖｉｃｅ）  Ｍｅｓｓａｇｅｓ等を含み、上記メッセージは互換性がないので、携帯端末機は各メッセージの形式を支援するプログラム（アプリケーション）を実行して、  上記プログラム（アプリケーション）を用いてメッセージを送信しなければならない。
【０００６】
使用者がテキスト（ｔｅｘｔ）とファイル（ｆｉｌｅ）を追加して送付できる多様な種類のメッセージアプリケーションを使用する際、メッセージ（Ｍｅｓｓａｇｅ）の種類によってそれぞれ別途のアプリケーションを通じて内容を作成し送付する。例えばＳＭＳ／ＭＭＳはメッセージアプリケーションを通じて、  Ｅメール（Ｅ−ｍａｉｌ）は電子メールアプリケーションを通じて、  Ｉｎｓｔａｎｔ  ＭｅｓｓａｇｉｎｇはＩｎｓｔａｎｔ  Ｍｅｓｓｅｎｇｅｒを通じて、  そしてＳＮＳ  ＭｅｓｓａｇｅはＷＡＰ又は専用アプリケーションを通じて、  各々作成、送付する。
【０００７】
例えば、ＳＭＳプログラムを通じて作成されたメッセージはＥ−ｍａｉｌで送信されないからＥ−ｍａｉｌプログラムを作動させてメッセージを作成し送付しなければならない。この際、応用（アプリケーション）プログラムが変わるので以前のメッセージは保管されない。従って、新たに作成するか、又は、「コピー・アンド・ペースト」機能を利用しなければならない。
【０００８】
メッセージの貯蔵及び貯蔵されたメッセージの検索でも、同一の問題が現われる。例えばＳＭＳで作成されたメッセージとＥ−ｍａｉｌで作成されたメッセージを検索するためには、２つの応用プログラムを実行して検索しなければならない。
【発明の概要】
【発明が解決しようとする課題】
【０００９】
本発明は、  携帯端末機において、多様な類型のメッセージを統合して送受信し、そのために、  類型に関わらずメッセージを統合的に表示し、作成及び送信するユーザーインターフェースを備える携帯端末機を用いた統合メッセージ送受信方法及び装置を提供する。
【課題を解決するための手段】
【００１０】
本発明の一実施例による携帯端末機を用いた統合メッセージ送信方法は、  メッセージ送信方式が互いに異なる少なくとも２つのチャンネルを含む複数のチャンネルを支援するメッセージ統合アプリケーションを実行する過程と、メッセージの入力のための入力窓を表示する過程と、上記入力窓に入力された上記メッセージを表示窓に表示する過程と、隠された状態にある上記複数のチャンネルそれぞれのアイコンを表示するための使用者の選択を受信する過程と、上記使用者の選択に応答して上記複数のチャンネルそれぞれのアイコンを表示する過程と、上記複数のチャンネルの中で少なくとも１つの活性化されたチャンネルを用いて上記メッセージを送信する過程と、を含む。
【００１１】
例示的実施例の一側によれば、上記複数のチャンネルの中で少なくとも１つの活性化されたチャンネルによって上記メッセージを送信する上記過程は、  上記入力窓に入力された上記メッセージのサイズとタイプを確認する過程と、上記メッセージのサイズとタイプに符合されるメッセージ送信方式のチャンネルを決定する過程と、上記決定されたチャンネルを活性化して上記決定されたチャンネルを用いて上記メッセージを送信する過程と、を含むことができる。
【００１２】
例示的実施例の一側によれば、上記統合メッセージ送信方法は、上記表示窓に上記メッセージと互いに異なるフォーマットの受信されたメッセージを表示する過程をさらに含むことができる。
例示的実施例の一側によれば、上記統合メッセージ送信方法は、上記メッセージを受信する受信人に関する情報又は上記メッセージを送信する送信人に関する情報を表示する過程をさらに含むことができる。
【００１３】
例示的実施例の一側によれば、  上記使用者の選択はチャンネル選択ボタンの選択によって遂行され、  上記複数のチャンネルそれぞれのアイコンが表示されるようにする使用者の選択が受信される場合、上記表示窓のサイズが減ることができる。
【００１４】
例示的実施例の一側によれば、  上記複数のチャンネル中のいずれか１つが選択された場合、  上記チャンネル選択ボタンは上記選択されたチャンネルに対応するアイコンに変更されて表示されることができる。
例示的実施例の一側によれば、  上記複数のチャンネル中のいずれか１つが選択された以後、上記複数のチャンネルはさらに隠し処理されることができる。
例示的実施例の一側によれば、  上記複数のチャンネル中のいずれか１つが選択され、上記チャンネル選択ボタンが選択された場合、  上記表示された複数のチャンネルそれぞれのアイコンはさらに隠し処理されることができる。
【００１５】
例示的実施例の一側によれば、上記統合メッセージ送信方法は、直前の状態に引き返す（ｂａｃｋ）ための使用者の選択を受信する過程をさらに含むことができる。
例示的実施例の一側によれば、上記隠された状態にある上記複数のチャンネルの中で選択されたチャンネルのアイコンと同一のアイコンが背景画面に表示されることができる。
【００１６】
例示的実施例の一側によれば、  上記複数のチャンネルの中で少なくとも１つのチャンネルを活性化過程は、  上記メッセージが最も多く受信されたチャンネルで上記メッセージを送信する過程を含むことができる。
【００１７】
例示的実施例の一側によれば、上記統合メッセージ送信方法は、上記複数のチャンネルの中の第１チャンネルで上記メッセージを送信する際、エラーが発生した場合、上記第１チャンネルの次にメッセージが多く受信されたチャンネルで上記メッセージを送信する過程をさらに含むことができる。
【００１８】
例示的実施例の一側によれば、  上記表示窓に表示されるメッセージに対して選択されたチャンネルのタイプを示すアイコンが表示されることができる。
【００１９】
例示的実施例の一側によれば、上記統合メッセージ送信方法は、上記チャンネル選択ボタン上に選択されたチャンネルに対応するイメージを表示する過程をさらに含むことができる。
【００２０】
例示的実施例の一側によれば、  上記複数のチャンネルの中で上記メッセージを送信することができないチャンネルは非活性化されて表示されることができる。
【００２１】
例示的実施例の一側によれば、上記統合メッセージ送信方法は、上記メッセージを受信する受信者に基づいて上記チャンネルを選択し、  上記選択されたチャンネルによって上記メッセージを送信する過程をさらに含むことができる。
例示的実施例の一側によれば、上記統合メッセージ送信方法は、上記メッセージのサイズ又はタイプが上記活性化されたチャンネルと互換性がない場合、  自動で他のチャンネルへの変更を提案する過程をさらに含むことができる。
例示的実施例の一側によれば、  上記メッセージに資料を添付することができる添付ボタンが表示されたり、又は上記メッセージに連結されているリンクボタンが表示されることができる。
【００２２】
例示的実施例の一側によれば、  上記メッセージに資料を添付することができるアプリケーションを実行させることができる添付ボタンが上記表示窓にさらに表示されることができる。
【００２３】
例示的実施例の一側によれば、上記添付ボタン又は上記チャンネル選択ボタンは添付された資料の個数を示す指示（ｉｎｄｉｃａｔｉｏｎ）を含むことができる。
【００２４】
例示的実施例の一側によれば、上記統合メッセージ送信方法は、上記メッセージに添付された資料を指示（ｉｎｄｉｃａｔｅ）するサムネイルを表示する過程をさらに含むことができる。
【００２５】
例示的実施例の一側によれば、上記統合メッセージ送信方法は、上記メッセージのデータ添付のためのオプション窓を表示する過程と、及び上記オプション窓が表示される際、送信可能なチャンネルのアイコンを活性化する過程をさらに含むことができる。
【００２６】
例示的実施例の一側によれば、上記統合メッセージ送信方法は、上記メッセージに添付されるデータの容量が基準容量を超過するか、又は、  上記メッセージに添付しようとするデータのタイプが上記送信可能なチャンネルのタイプと異なってアップロードされない場合、  他のチャンネルへの変更を提案する過程をさらに含むことができる。
【００２７】
本発明のさらに他の一実施例による携帯端末機を用いた統合メッセージ受信方法は、  受信メッセージを表示窓に表示する過程と、上記受信メッセージと連関された他の受信メッセージを検索する過程と、及び上記受信メッセージに添付された資料が選択される場合、上記他の受信メッセージに添付された資料を検索する過程を含む。
【００２８】
例示的実施例の一側によれば、上記統合メッセージ受信方法は、予め決定されたスクリーンタッチの信号に応答して上記添付された資料を実行するためのアプリケーションを実行する過程と、上記受信メッセージの上記添付された資料を実行して上記実行された資料を上記表示窓に表示する過程と、上記資料が表示された上記表示窓にジェスチャーが感知される場合、  上記アプリケーションを通じて上記他の受信メッセージに添付された資料を実行して上記他の受信メッセージに添付された資料を上記表示窓に表示する過程と、及び上記ジェスチャーを通じて使用者が上記受信メッセージの添付資料と上記他の受信メッセージの添付資料の間をナビゲーションすることができるように上記表示窓を制御する過程をさらに含むことができる。
【００２９】
例示的実施例の一側によれば、  上記他の受信メッセージに添付された資料を検索する上記過程は、上記受信メッセージとタイプが同一の上記他の受信メッセージに添付された資料を検索する過程と、上記受信メッセージとタイプが異なる上記他の受信メッセージに添付された資料を検索する過程を含むことができる。
【００３０】
例示的実施例の一側によれば、上記統合メッセージ受信方法は、上記他の受信メッセージに添付された資料を受信された時間の手順によって表示する過程をさらに含むことができる。
例示的実施例の一側によれば、上記統合メッセージ受信方法は、上記受信されたメッセージのチャンネルを表示するメニュー窓を表示する過程をさらに含むことができる。
【００３１】
例示的実施例の一側によれば、上記メニュー窓はアイコン、サムネイル、コンテンツ、リスト、又はバー（ｂａｒ）のいずれか１つであることができる。
【００３２】
例示的実施例の一側によれば、上記ジェスチャーはフリック（ｆｌｉｃｋ）、ドラッグ（ｄｒａｇ）、クリック（ｃｌｉｃｋ）、タッグ（ｔａｇ）又はタッチ（ｔｏｕｃｈ）中のいずれか１つであることができる。
【００３３】
例示的実施例の一側によれば、  上記受信メッセージと連関された他のメッセージは、  上記メッセージと同一の使用者の他のメッセージ、  上記受信メッセージと同一の受信人の他のメッセージ、上記受信メッセージと同一の送信人の他のメッセージ、上記受信メッセージと同一のディレクトリ内の他のメッセージ、  又は上記受信メッセージと同一のフォルダ内の他のメッセージの中で少なくとも１つを含むことができる。
【００３４】
本発明のさらに他の一実施例による携帯端末機を用いた統合メッセージ送信装置は、  メッセージ送信方式が互いに異なる少なくとも２つのチャンネルを含む複数のチャンネルを支援するメッセージ統合アプリケーション駆動部と、メッセージの入力のための入力窓を表示して上記入力窓に入力された上記メッセージを表示窓に表示する表示部と、隠された状態にある上記複数のチャンネルそれぞれのアイコンを表示するための使用者の選択を受信し、上記使用者の選択に応答して上記複数のチャンネルそれぞれのアイコンを表示して、  上記複数のチャンネルの中で少なくとも一つの活性化されたチャンネルによって上記メッセージを送信する制御部と、を含む。
【００３５】
例示的実施例の一側によれば、  上記制御部は上記入力窓に入力された上記メッセージのサイズとタイプを確認し、  上記メッセージのサイズとタイプに符合するメッセージ送信方式のチャンネルを決定し、  上記決定されたチャンネルを活性化して上記決定されたチャンネルによって上記メッセージを送信することができる。
【００３６】
例示的実施例の一側によれば、  上記制御部は上記複数のチャンネルそれぞれのアイコンが表示されるように使用者の選択を受信される場合、  上記表示窓のサイズが減るように制御することができる。
【００３７】
本発明のさらに他の一実施例によれば、  上記の方法の中で少なくとも１つを遂行するプログラムが記録されたコンピューター判読可能な記録媒体が提供される。
【発明の効果】
【００３８】
本発明によれば、  携帯端末機において、類型に関わらずメッセージを統合的に表示し、作成及び送信するユーザーインターフェースを備えるので、  多様な類型のメッセージを統合して送受信する携帯端末機を用いた統合メッセージ送受信方法及び装置を提供できる。
【図面の簡単な説明】
【００３９】
【図１】本発明の一実施例によって携帯端末機に構成された統合メッセージ送受信装置のブロック図である。
【図２】例示的実施例によって統合メッセージの送受信のためのユーザーインターフェースの一例を示す図面である。
【図３】例示的実施例によって、（ａ）は、複数のチャンネルそれぞれに対応するチャンネルアイコンを表示し、（ｂ）は、上記チャンネルアイコンを隠す動作を説明するための図面である。
【図４】例示的実施例によって、（ａ）は、入力されたメッセージが選択されたチャンネルと互換がない場合、他のチャンネルに変換する一例を示す図面であり、（ｂ）は、資料の添付に係わる動作を説明する図面である。
【図５】本発明の一実施による統合メッセージ送信方法を示すフローチャートである。
【図６】本発明の一実施例によって受信されたメッセージに添付された資料を選択して実行する一例を示す図面である。
【図７】度例示的実施例によってメッセージに添付された資料のナビゲーションを実行する一例を示す図面である。
【図８】例示的実施例によって、メッセージに資料を添付する場合、上記資料が添付可能なチャンネルに変換する一例を示す図面である。
【図９】本発明の他の一実施例による統合メシジを用いた添付資料の受信及びナビゲーションを説明するためのフローチャートである。
【発明を実施するための形態】
【００４０】
以下、添付された図面を参照して本発明による実施例を詳細に説明する。ただし、本発明はこのような実施例によって制限され又は限定されない。
【００４１】
図１は、本発明の一実施例による携帯端末機に構成された統合メッセージ送受信装置のブロック図である。
図１を参照すれば、携帯端末機（ｐｏｒｔａｂｌｅ  ｄｅｖｉｃｅ）１００は入力部１１０、表示部１２０、貯蔵部１３０、制御部１４０、及び統合アプリケーション駆動部（ｉｎｔｅｇｒａｔｅｄ  ａｐｐｌｉｃａｔｉｏｎ  ｄｒｉｖｉｎｇ  ｍｏｄｕｌｅ）１５０を含む。
【００４２】
入力部１１０は使用者から数字又は多様な文字情報を受け取る。また、入力部１１０は各種機能の設定及び上記携帯端末機１００の機能制御のための入力キー及び機能キー等を含む。例えば、入力部１１０は音声通話要請のための通話キー、  画像通話要請のための画像通話キー、音声通話又は画像通話終了等を要請する終了キー、  オーディオ信号の出力ボリュームを調整するボリュームキーを含む。
【００４３】
入力部１１０は携帯端末機１００の提供形態によってタッチパッド（Ｔｏｕｃｈ−ｐａｄ）、タッチスクリーン（Ｔｏｕｃｈ−ｓｃｒｅｅｎ）、  一般的なキー配列のボタン式キーパッド、  クウォーティー（ＱＷＥＲＴＹ）、又はドヴォラック（ＤＶＯＲＡＫ）方式のボタン式キーパッド等の入力装置中のいずれか１つ又はこれらの組み合わせにより形成される。入力部１１０がタッチスクリーンの形態で提供される場合、入力部１１０はキー入力のためのキーパッドを画面に表示できる。
【００４４】
表示部１２０はメッセージの入力のための入力窓（ｉｎｐｕｔ  ｗｉｎｄｏｗ）を表示し、  上記入力窓に入力された上記メッセージを表示窓（ｄｉｓｐｌａｙ  ｗｉｎｄｏｗ）に表示する。表示部１２０はまた携帯端末機１００の各種メニュー画面に、使用者が入力した使用者データ、  機能設定情報、  又は使用者に提供するべき多様な情報を表示する。例えば、表示部１２０はブーティング画面、待機画面、メニュー画面、及び画像通話画面等を出力する。表示部１２０は、さらに統合メッセージ運営のためのユーザーインターフェースを出力できる。
【００４５】
表示部１２０は、液晶表示装置（Ｌｉｑｕｉｄ  Ｃｒｙｓｔａｌ  Ｄｉｓｐｌａｙ、  ＬＣＤ）、有機発光ダイオード（Ｏｒｇａｎｉｃ  Ｌｉｇｈｔ  Ｅｍｉｔｔｉｎｇ  Ｄｉｏｄｅ、  ＯＬＥＤ）、能動型有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ、  ＡＭＯＬＥＤ）等のいずれかにより形成される。また、表示部１２０はタッチスクリーン（Ｔｏｕｃｈ−ｓｃｒｅｅｎ）形態に形成できる。
【００４６】
貯蔵部１３０は携帯端末機１００のＯＳ（Ｏｐｅｒａｔｉｎｇ  Ｓｙｓｔｅｍ）、統合メッセージＯＳ、その他オプション（ｏｐｔｉｏｎｓ）機能、例えば音声再生機能、イメージ（静止画像）又は動映像（動画像）再生機能、放送再生機能等に必要な応用プログラムをはじめ、使用者データ及び通信時、送受信されるメッセージ、データ等を貯蔵する。
【００４７】
制御部１４０は携帯端末機１００を構成する構成部の機能を制御する役目を遂行する。例えば、統合メッセージ管理アプリケーション（ｉｎｔｅｇｒａｔｅｄ  Ｍｅｓｓａｇｅ  ｍａｎａｇｅｍｅｎｔ  ａｐｐｌｉｃａｔｉｏｎ）の制御と携帯端末機１００の全般的な動作及び携帯端末機１００の内部ブロックの間の信号の流れを制御する。制御部１４０は無線通信部（図示せず）を通じて送受信されるメッセージ及び／又はデータを処理するデータ処理部の機能を含み得る。
【００４８】
統合アプリケーション駆動部１５０は、メッセージ送信方式（ｍｅｓｓａｇｉｎｇ  ｓｃｈｅｍｅ）が互いに異なる少なくとも２つのチャンネルを含む複数のチャンネルを支援するメッセージ統合アプリケーション（ｉｎｔｅｇｒａｔｅｄ  Ｍｅｓｓａｇｅ  ａｐｐｌｉｃａｔｉｏｎ）を実行する。メッセージ送信方式はメッセージを送信する方式で、例えば、ＳＭＳ、ＭＭＳ（Ｍｕｌｔｉｍｅｄｉａ  Ｍｅｓｓａｇｅ  Ｓｅｒｖｉｃｅ）、Ｅ−ｍａｉｌ、Ｉｎｓｔａｎｔ  Ｍｅｓｓａｇｅ、  ＳＮＳ（Ｓｏｃｉａｌ  Ｎｅｔｗｏｒｋ  Ｓｅｒｖｉｃｅ）  Ｍｅｓｓａｇｅｓを含む。また、上記メッセージ送信方式は、メッセージ送信サービスを提供するサービス供給者（ｓｅｒｖｉｃｅ  ｐｒｏｖｉｄｅｒ）又はメッセージ送信のための応用プログラムの製造者及び／又は供給者に従って異なり得る。例えば、Ｅ−ｍａｉｌの場合にもＧｏｏｇｌｅが提供するＥ−ｍａｉｌ又はＹａｈｏｏが提供するＥ−ｍａｉｌがあり、このような場合、対応するメッセージ送信方式は互いに異なるチャンネルとして解釈される。スマートフォンで運用されるメッセージングアプリケーションの場合でも、Ａ社が提供するメッセージングアプリケーションと、  Ｂ社が提供するメッセージングアプリケーションとが互いに異なるメッセージ送信方式のチャンネルとして解釈される。
【００４９】
メッセージ統合アプリケーションは、このようにメッセージ送信方式が互いに異なる少なくとも２つのチャンネルを含む複数のチャンネルを統合的に支援する。メッセージ統合アプリケーション駆動部１５０は互いに異なるメッセージ送信方式のチャンネルを統合的に制御する。また、統合アプリケーション駆動部１５０は、使用者がメッセージの性格及び意図によってメッセージ送信方式と受信者を選択することによって、それぞれ他の形式のメッセージを統合して運営できる。
【００５０】
無線通信部（図示せず）は携帯端末機１００に含まれ得る。上記無線通信部は移動通信ネットワークと無線信号を送受信する装置として、  送受信信号を分離する送受信分離部と送信信号の周波数を上昇変換及び増幅するＲＦ（Ｒａｄｉｏ  Ｆｒｅｑｕｅｎｃｙ）送信部と、受信信号を低雑音増幅して周波数を下向変換するＲＦ受信部を含む。無線通信部は携帯端末機１００が支援する複数のチャンネルの中で少なくとも一つの活性化されたチャンネルを用いてメッセージを送信する。
【００５１】
以上で図示しなかったが携帯端末機１００はイメージ又は動映像撮影のためのカメラモジュール、近距離無線通信のための近距離通信モジュール、放送受信のための放送受信モジュール、ＭＰ３モジュールのようなデジタル音源再生モジュール及びインターネット機能を遂行するインターネット通信モジュール等の付加機能を有する構成要素を選択的にさらに含み得る。このような構成要素はデジタル機器の集約傾向（コンバージェンス（ｃｏｎｖｅｒｇｅｎｃｅ）トレンド）に伴い変形が非常に多様であるので、全部を列挙することはできないが、  本発明による携帯端末機１００は上記言及された構成要素と同等な水準の構成要素をさらに含み得る。
【００５２】
例示的実施例によるメッセージの送受信は送信端末機及び受信端末機を含む。図１に示す携帯端末機１００は、送信端末機の役目を遂行し、及び／又は、  受信端末機の役目を遂行する。送信端末機は、第１携帯端末機の使用者が第２携帯端末機に上記メッセージを送信する場合、上記第１携帯端末機を指す。受信端末機は、上記第１携帯端末機の使用者が上記第２携帯端末機に上記メッセージを送信する場合、上記第２携帯端末機を示す。上記第１携帯端末機及び第２携帯端末機の双方が、送信と受信が可能であり、互いに送信と受信を交代できる。
【００５３】
送信端末機に内蔵した統合メッセージプログラムを通じて作成されたメッセージ（例えば、ＳＭＳメッセージ、ＭＭＳメッセージ、Ｅ−ｍａｉｌメッセージ、ＨＴＭＬメッセージ等）は通信ネットワークを通じて受信端末機に送信される。例えば、統合メッセージプログラムは、統合アプリケーション駆動部１５０に関わり説明したように、送受信端末機で送受信される多様な類型のメッセージを統合して管理し、  類型に関わらずメッセージを作成及び送信できる。受信端末機は送信端末機から送られたメッセージを、統合メッセージプログラムを通じて受信する。上記メッセージは統合メッセージプログラムの形式に変換して貯蔵及び管理される。また、上記メッセージはＳＭＳメッセージ、ＭＭＳメッセージ、Ｅ−ｍａｉｌメッセージ、ＨＴＭＬメッセージの中の少なくとも１つの形式で貯蔵及び管理される。上記第１携帯端末機及び上記第２携帯端末機はメッセージ送信及び受信の双方の機能支援が可能であり、以下の説明では携帯端末機を代表として説明する。
【００５４】
図２は例示的実施例によって統合メッセージの送受信のためのユーザーインターフェースの一例を示す図面である。
図２を参照すれば、ユーザー  インターフェース（ｕｓｅｒ  ｉｎｔｅｒｆａｃｅ）２００は使用者情報窓（ｕｓｅｒ  ｉｎｆｏｒｍａｔｉｏｎ  ｗｉｎｄｏｗ）２１０、表示窓（ｍｅｓｓａｇｅ  ｄｉｓｐｌａｙ  ｗｉｎｄｏｗ）２２０、  及び統合メッセージ編集機（ｉｎｔｅｇｒａｔｅｄ  ｍｅｓｓａｇｅ  ｅｄｉｔｏｒ）２３０を含む。
【００５５】
使用者情報窓２１０はメッセージを受信する受信人に関する情報及び／又はメッセージを送信する送信人に関する情報を表示する。使用者情報窓２１０は多様な方法で具現され、例えば使用者情報窓２１０は携帯端末機を用いる使用者が送信したメッセージを受信する受信人に関する情報を表示できる。または、使用者情報窓２１０は表示窓２２０に表示されたメッセージを受信する受信人又は表示窓２２０に表示されたメッセージを送信する送信人に関する情報を表示できる。さらに他の一例によれば、  使用者情報窓２１０は携帯端末機を用いる使用者の情報を表示できる。この場合、「Ｍａｒｖｉｎ  Ｊａｓｏｎ」はユーザーインターフェース２００を表示している携帯端末機の使用者である。さらに他の一例によれば、使用者情報窓２１０は表示窓２２０に表示されたメッセージの通信相手に関する情報を表示できる。例えばユーザーインターフェース２００を表示している携帯端末機の使用者が通信相手である「  Ｍａｒｖｉｎ  Ｊａｓｏｎ  」と通信したメッセージが表示窓２２０に表示された場合、使用者情報窓２１０は通信相手である「Ｍａｒｖｉｎ  Ｊａｓｏｎ」を表示する。
【００５６】
さらに他の実施例によれば、表示窓２２０は複数の通信相手と通信したメッセージを表示できる。この場合、使用者情報窓２１０はデフォルトで携帯端末機の使用者を表示し、  上記使用者が表示窓２２０に表示されたメッセージ中のいずれか１つを選択すれば、使用者情報窓２１０は上記選択されたメッセージの通信相手を表示する。例えば、メッセージ２２１の通信相手が「Ｍａｒｖｉｎ  Ｊａｓｏｎ」であり、メッセージ２２２の通信相手が「Ｊｕｌｉｅ  Ｋｉｍ」の場合、使用者がメッセージ２２１を選択すれば、使用者情報窓２１０は「Ｍａｒｖｉｎ  Ｊａｓｏｎ」を表示する。また、使用者がメッセージ２２２を選択すれば、使用者情報窓２１０は「Ｊｕｌｉｅ  Ｋｉｍ」を表示する。
【００５７】
使用者情報窓２１０にメッセージを受信する受信人に関する情報及び／又はメッセージを送信する送信人に関する情報を表示するために、図１の貯蔵部１３０は各メッセージに対応して上記メッセージの送信人及び／又は受信人に関する情報を貯蔵する。すると、制御部１４０は貯蔵部１３０を参照し、表示窓２２０に表示されたメッセージの送信人及び／又は受信人に関する情報を識別し、これを使用者情報窓２１０に表示する。
【００５８】
表示窓２２０は受信されたメッセージ２２１及び／又は送信されたメッセージ２２２を表示できる。例えば上記使用者が自分の携帯端末機を用いて他の携帯端末機の使用者にメッセージを送信する場合、  送信されたメッセージ２２２は表示窓２２０に表示される。また、上記他の携帯端末機の使用者がメッセージを携帯端末機１００に送信する場合、  携帯端末機に受信されたメッセージ２２１は表示窓２２０に表示される。携帯端末機が受信されたメッセージ２２１の返事でメッセージを送る場合、  上記返事として送信されたメッセージ２２２も表示窓２２０に表示される。
【００５９】
表示窓２２０に表示された受信されたメッセージ２２１と送信されたメッセージ２２２は同一のメッセージ送信方式によって送信されたメッセージであるか、又は互いに異なる送信方式によって送信されたメッセージである。例えば他の使用者から受信されたメッセージ２２１の返事として、使用者は受信されたメッセージ２２１と同一のメッセージ送信方式を用いて上記他の使用者にメッセージを送信する。この場合、上記使用者はメッセージ送信方式の変更無しに上記メッセージに対する返信ができる。
【００６０】
また、上記使用者は上記他の使用者にメッセージを送信する場合、上記使用者は上記他の使用者から受信されたメッセージ２２１と異なるメッセージ送信方式を使用できる。この場合、使用者は、メッセージ送信方式の形式又は便利性等を考慮し、メッセージ送信に用いるメッセージ送信方式を決定し、  メッセージ送信方式を変更してメッセージを送信する。
【００６１】
統合メッセージ編集機２３０はチャンネル選択ボタン２３１（ｃｈａｎｎｅｌ  ｓｅｌｅｃｔｉｏｎ  ｂｕｔｔｏｎ）、  入力窓（ｉｎｐｕｔ  ｗｉｎｄｏｗ）２３２、添付ボタン（ａｔｔａｃｈｍｅｎｔ  ｂｕｔｔｏｎ）２３３及びチャンネルアイコン（ｃｈａｎｎｅｌ  ｉｃｏｎｓ）（図示せず）を含むことができる。
【００６２】
統合メッセージ編集機２３０には、メッセージ送信方式が互いに異なる少なくとも２つのチャンネルを含む複数のチャンネルそれぞれのアイコンが隠された状態にあり得る。図３の（ａ）を参照すれば、複数のチャンネルそれぞれのアイコン３００が統合メッセージ編集機上に表示されている。例えばメッセージの送信方式が変更されない場合（即ち、受信されたメッセージと同一のメッセージ送信方式を使ってメッセージを送信する場合）には複数のチャンネルそれぞれに対するアイコンは統合メッセージ編集機２３０上に表示されない場合もある。
【００６３】
チャンネル選択ボタン２３１は隠された状態のチャンネルアイコンを表示するためのボタンである。使用者がチャンネル選択ボタン２３１を選択すれば、図１の制御部１４０は統合メッセージ編集機２３０上に上記隠された状態のチャンネルアイコンを表示する。使用者は自分が作成したメッセージの送信方式を変更又は選択するためにチャンネル選択ボタン２３１を選択する。すると、図３の（ａ）に示したように、複数のチャンネルそれぞれに対応するチャンネルアイコン３００が統合メッセージ編集機２３０上に表示される。使用者は表示されたチャンネルアイコン３００中のいずれか１つを選択することによって、自分が送信するメッセージの送信方式を変更できる。
【００６４】
入力窓２３２はメッセージの入力のための窓である。図２に示したように、  入力窓２３２は統合メッセージ編集機２３０上に表示される。使用者はポータブル端末機に含まれたキーボード（図示せず）又はユーザーインターフェース２００上に表示されるデジタルキーボード（図示せず）等のキーボードを用い、  入力窓２３２にメッセージを入力する。
【００６５】
添付ボタン２３３はメッセージに資料（例えば、写真、  オーディオファイル等）を添付するためのボタンである。使用者は統合メッセージ編集機２３０上に表示された添付ボタン２３３を選択することによって、入力窓２３２で作成中のメッセージに添付する資料を選択できる。
【００６６】
ユーザーインターフェース２００は、例えば統合メッセージ編集機２３０上に、入力窓２３２に入力が完了したメッセージを送信するためのセンドボタン「Ｓｅｎｄ」及び／又は統合メッセージのユーザーインターフェース２００の状態を直前の状態に引き戻すためのバックボタン「Ｂａｃｋ」を含む。使用者がバックボタン「Ｂａｃｋ」を選択すれば、  携帯端末機はユーザーインターフェース２００の状態を直前の状態に引き戻す。このために、  携帯端末機は常に、ユーザーインターフェース２００の以前の状態を貯蔵しておく。
【００６７】
図２において、チャンネル選択ボタン２３１、入力窓２３２、添付ボタン２３３、チャンネルアイコン（図示せず）、センドボタン「Ｓｅｎｄ」、及びバックボタン「Ｂａｃｋ」が統合メッセージ編集機上に具体的に配置される形で説明したが、必要と要望に応じて他の所に位置できる。これは以下で説明する、表示された客体に対しても同様に理解されなければならない。
【００６８】
メッセージ送信方式が互いに異なるチャンネルの間で統合メッセージ管理アプリケーションを用いてメッセージを管理する方法の例を説明する。例えばＷｉ−Ｆｉ網に接続されている場合には、Ｗｉ−Ｆｉ網を利用するインスタントメッセンジャー（ｉｎｓｔａｎｔ  ｍｅｓｓｅｎｇｅｒ）がオンライン状態にあるからＳＭＳメッセージをインスタントメッセンジャーに変更してメッセージを送信できる。また、ＳＮＳ（ｆａｃｅｂｏｏｋ等）アカウントが存在すればＳＮＳで提供する内部メッセンジャー（ｍｅｓｓｅｎｇｅｒ）を用いてＳＭＳメッセージをＳＮＳメッセンジャーのメッセージ形態に変更してメッセージを送信できる。
【００６９】
図３は例示的実施例によって、  複数のチャンネルそれぞれに対応するチャンネルアイコンを表示し、また上記チャンネルアイコンを隠す動作を説明するための図面である。図３の（ａ）はチャンネル選択ボタン３１０が選択された場合、  複数のチャンネルそれぞれに対応するチャンネルアイコン（ｃｈａｎｎｅｌ  ｉｃｏｎｓ）３００が携帯端末機の画面上に表示される一例を示す図面である。図３の（ｂ）はチャンネル選択ボタン３１０が選択された場合、複数のチャンネルが携帯端末機２００の画面上で隠し処理された一例を示す図面である。  
【００７０】
図３の（ｂ）を参照すれば、  統合メッセージ編集機２３０（図２）上にはメッセージ送信方式が互いに異なる少なくとも２つのチャンネルを含む複数のチャンネルそれぞれに対応するチャンネルアイコンが隠された状態にある。この時、上記使用者が入力窓２３２、３２０にメッセージを入力し、メッセージ送信方式を変更及び／又は選択するためにチャンネル選択ボタン２３１、３１０を選択すれば、隠し処理された複数のチャンネルそれぞれに対応するチャンネルアイコン３００が、図３の（ａ）に示したように、表示される。
【００７１】
具体的に図１の制御部１４０は、使用者から隠された状態にある複数のチャンネルそれぞれのアイコンを表示するための使用者の選択を、チャンネル選択ボタン２３１、３１０を通じて受信する。制御部１４０がチャンネル選択ボタン２３１、３１０を通じて隠された状態にある複数のチャンネルそれぞれのアイコンを表示するための使用者の上記選択を受信すれば、上記選択に応答し、制御部１４０は上記複数のチャンネルそれぞれのアイコン３００を統合メッセージ編集機上に表示する。
【００７２】
この時、  制御部１４０は携帯端末機が支援するすべてのメッセージ送信方式に対応するチャンネルのアイコンを全部表示せず、一部のアイコンだけを表示することもできる。例えば制御部１４０は使用者が最近一定期間の間、最も多く使用したチャンネルに関する情報を維持し、この使用頻度によってＮ個のチャンネルに対応するチャンネルアイコンを識別し、上記識別された最も使用頻度の高いチャンネルアイコンだけを表示する。さらに他の例によれば、  制御部１４０は表示窓に表示されたメッセージの中で最近、送信又は受信されたメッセージが用いたチャンネルに関する情報に基づきＮ個のチャンネルを選択し、上記選択されたチャンネルのチャンネルアイコンを表示する。
【００７３】
使用者は表示された複数のチャンネルアイコン３００中の１つを選択し、  センドボタン「Ｓｅｎｄ」を選択することによって、入力窓３２０を用いて作成したメッセージを送信する。使用者がセンドボタン「Ｓｅｎｄ」を選択すれば、入力窓３２０に表示されたメッセージは選択されたチャンネルのメッセージ送信方式によって相手に送信される。
【００７４】
複数のチャンネルは互いに異なる送信方式に従って形成されたチャンネルから構成されている。また、複数のチャンネルは受信人（上記他の使用者）が保有しているチャンネルから構成され得る。上記選択されたチャンネルは選択されなかった他のチャンネルと区分されるために活性化して表示される。また、複数のチャンネルの中で上記受信者が保有しているチャンネルと互換性のないチャンネルは非活性化して表示される。上記使用者はメッセージを送信する場合、上記メッセージを受信する受信者が保有しているチャンネルに基づいて上記チャンネルを選択し、  上記選択されたチャンネルによって上記メッセージを送信する。
【００７５】
さらに他の実施例によれば、携帯端末機は使用者が作成したメッセージを受信する受信者に合わせてチャンネルを選択し、  上記選択されたチャンネルによって上記メッセージを送信する。例えば、携帯端末機は通信相手ごとによく用いるチャンネルに関する情報を維持し、  メッセージを受信する受信者に合わせて上記受信者との通信に主に用いたチャンネルを送信チャンネルで選択する。
【００７６】
上記活性化方法は、上記アイコンの色を異にする方法、  上記アイコンの明るさを高める方法、アイコンサイズを大きくする方法、アイコン内部に存在する書体を異なるようにする方法、又はアイコン内部に存在する書体を大きくする方法の中の少なくとも１つである。
【００７７】
制御部１４０は上記隠された状態にある上記複数のチャンネルそれぞれのアイコンを表示するための使用者の選択を受信し、  上記使用者の選択に応答して上記複数のチャンネルそれぞれのアイコンを表示して、上記複数のチャンネルの中の少なくとも１つの活性化されたチャンネルによって上記メッセージを送信するように制御する。
【００７８】
上記選択されたチャンネルに関する情報、上記互換性があるチャンネルに関する情報、又は上記非互換性があるチャンネルに関する情報は貯蔵部１３０に貯蔵される。
【００７９】
図３の（ａ）で使用者がチャンネル選択ボタン３１０を選択すれば、  使用者インターフェースは図３の（ｂ）のように表示される。即ち、複数のチャンネルアイコン３００が表示された状態でチャンネル選択ボタン３１０が選択されれば、  複数のチャンネルアイコン３００は携帯端末機の画面上で隠し処理される。
【００８０】
例示的実施例の一例によってメッセージを送信する方法を説明する。  
使用者はメッセージ送信方式が互いに異なる少なくとも２つのチャンネルを含む複数のチャンネル３００を支援するメッセージ統合アプリケーションを実行する。そして使用者は携帯端末機画面に表示された入力窓３２０にメッセージを入力する。すると、入力窓３２０に入力された上記メッセージは携帯端末機の表示窓２２０に表示される。使用者は送信方式を変更するためにチャンネル選択ボタン３１０を選択する。すると、隠された状態にある上記複数のチャンネルそれぞれのアイコン３００が上記携帯端末機の画面に表示される。使用者は複数のチャンネルの中でチャンネルを選択して上記選択されたチャンネルを用いて上記メッセージを送信する。
【００８１】
統合アプリケーション駆動部１５０は入力窓３２０に入力された上記メッセージのサイズとタイプを確認し、  上記メッセージのサイズとタイプに符合するメッセージ送信方式のチャンネルを決定する。また、統合アプリケーション駆動部１５０は上記決定されたチャンネルを活性化し、  上記決定されたチャンネルを用いて上記メッセージを送信するように携帯端末機を制御する。
【００８２】
図３の（ｂ）を参照すれば、  複数のチャンネル中のいずれか１つのチャンネルが選択された場合、全てのチャンネル又は前記選択されたチャンネルを除く残りのチャンネルそれぞれのアイコン３００は、自動的に隠し処理される。上記チャンネルをさらに変更するためには、使用者はチャンネル選択ボタン３１０を選択して隠し処理された複数のチャンネルのアイコン３００が再び表示されるようにできる。すると、使用者は表示された複数のチャンネルのアイコン３００中のいずれか１つを選択することによって、他のチャンネルを選択できる。そしてチャンネル選択ボタン３１０がさらに選択された場合、  表示された複数のチャンネルそれぞれのアイコン３００は再び隠し処理される。
【００８３】
図１の制御部１４０は複数のチャンネルのアイコン３００の隠し処理機能を制御する。
複数のチャンネルそれぞれのアイコン３００が表示されるようにするチャンネル選択ボタンが選択された場合、  複数のチャンネルのアイコン３００が携帯端末機１００画面に表示されるので、その分、表示窓２２０のサイズが減る。隠された状態にある複数のチャンネルそれぞれのアイコン３００を表示するための使用者の選択はチャンネル選択ボタン３１０の選択によって遂行される。上記複数のチャンネルそれぞれのアイコンが表示されるようにする使用者の選択が受信される場合、  表示窓２２０のサイズは、その分だけ減って表示される。また、上記複数のチャンネル中のいずれか１つが選択されて上記チャンネル選択ボタンが選択された場合、  上記表示された複数のチャンネルそれぞれのアイコンは再び隠し処理される。
【００８４】
複数のチャンネル中のいずれか１つのチャンネルが選択された場合、  チャンネル選択ボタン３１０は上記選択されたチャンネルのアイコンに変更されて表示される。図３でチャンネル選択ボタン３１０は現在選択されたチャンネルに対応するアイコンに変更されて表示されている。本発明による統合メッセージを用いる使用者は現在選択されたチャンネルが何なのかチャンネル選択ボタン３１０のアイコンから容易に確認でき、  上記アイコンの変更は制御部１４０を通じて制御される。
【００８５】
複数のチャンネル中のいずれか１つが選択された後、  複数のチャンネルのアイコンは再び隠し処理される。
使用者がチャンネルを選択しない場合、  メッセージがそれまでに最も多く受信されたチャンネルがデフォルトで携帯端末機によって選択され、  複数のチャンネルの中で上記デフォルトに選択されたチャンネルが活性化されて表示される。これのために、  携帯端末機は一定期間の間に各チャンネル別に送信及び／又は受信されたメッセージの個数を維持する。
【００８６】
複数のチャンネルの中の第１チャンネルで上記メッセージを送信する際、エラーが発生すれば、携帯端末機は上記第１チャンネルの次にメッセージが多く受信されたチャンネルで上記メッセージを送信できる。携帯端末機は、一定期間の間、各チャンネル別に送信及び／又は受信されたメッセージの個数を維持しているので、この情報に基づいて上記第１チャンネルの次にメッセージが多く受信されたチャンネルを識別できる。
【００８７】
制御部１４０は、上記複数のチャンネルそれぞれのアイコンを表示する旨の使用者の選択が受信される場合、表示窓２２０のサイズが減るように制御する。
【００８８】
上記選択されたチャンネルが何なのか表示するために、  表示窓２２０に表示される送信メッセージ２２２上に上記選択されたチャンネルのタイプを示すイメージが表示される。図２で表示されたメッセージ２２１、２２２においては、メッセージの送信及び／又は受信時間表示の側に上記メッセージの送信チャンネルを示すイメージが表示されている。
また、  チャンネル選択ボタン３１０上に上記選択されたチャンネルに対応するイメージが表示されるようにすることもできる。
【００８９】
図４は、例示的実施例によって、入力されたメッセージが選択されたチャンネルと互換性がない場合に他のチャンネルに変換する一例を示す図面である。
図４を参照すれば、入力窓４２０に入力されたメッセージのサイズ及びタイプが活性化されたチャンネルと互換性がない場合、  携帯端末機は自動的に、他のチャンネルへの変更を使用者に提案する。例えば入力窓４２０に入力されたメッセージのサイズ及びタイプが選択されたチャンネルと互換性がない場合、  自動的に互換性がある他のチャンネルへの変更を提案する文言（図示せず）が表示窓２２０に示される。
【００９０】
使用者は上記文言に従って上記他のチャンネルに変更するか、又は任意のチャンネルに変更するか決定する。また、入力窓４２０に入力されたメッセージのサイズ及びタイプが上記選択されたチャンネルと互換性がない場合、  自動的に互換性がある他のチャンネルへ変更されるようにすることもできる。上記自動的に変更される他のチャンネルはメッセージが最も多く受信されたチャンネルであるか、  又は使用者が任意で選択したチャンネルである。
【００９１】
他のチャンネルに変更された場合、使用者が変更されたチャンネルを認知できるように、チャンネル選択ボタン４１０上、又は表示窓４２５に表示されるメッセージ上に上記変更されたチャンネルのイメージ、又はアイコンが表示される。
使用者が現在選択されたチャンネルが何なのか認知できるように、  隠された状態にある上記複数のチャンネルの中で選択されたチャンネルのアイコンと同一のアイコンが背景画面４３０に表示されるようにすることもできる。
【００９２】
制御部１４０（図１）は、入力窓２２０（図４（ａ）では４２０）に入力された上記メッセージのサイズとタイプを確認し、上記メッセージのサイズとタイプに符合されるメッセージ送信方式のチャンネルを決定し、  上記決定されたチャンネルを活性化して上記決定されたチャンネルによって上記メッセージを送信するように制御する。貯蔵部１３０はメッセージのサイズ及び／又はタイプによって最も適合するチャンネルに関する情報を貯蔵する。制御部１４０は上記確認されたメッセージのサイズ及び／又はタイプに基づいて、上記貯蔵部１３０を参照し、上記メッセージに適合するチャンネルを決定する。
【００９３】
また、上記適合するチャンネルは現在の通信環境によって異なるように決定することもできる。例えば  現在通信環境が無料Ｗｉ−Ｆｉ環境の場合、  Ｗｉ−Ｆｉを用いるチャンネルの中から送信チャンネルを決定する。上記複数のチャンネルの中で少なくとも１つのチャンネルを活性化する過程は、上記メッセージが最も多く受信されたチャンネルで上記メッセージを送信する過程を含む。また、上記複数のチャンネルの中の第１チャンネルで上記メッセージを送信する際、エラーが発生すれば、上記第１チャンネルの次にメッセージが多く受信されたチャンネルで上記メッセージを送信する。
【００９４】
図４（ｂ）を参照すると、入力窓４４０に入力されたメッセージに資料を添付するアプリケーションを実行させる添付ボタン４５０が表示されている。  又は上記メッセージに添付される資料と連結されているリンクボタン（図示せず）が表示されることもできる。
【００９５】
添付ボタン４５０、メッセージ、又はチャンネル選択ボタン４６０上に上記メッセージに添付された資料があることを示す指標（ｉｎｄｉｃａｔｏｒ）が表示される。例えば上記メッセージ上に添付ファイルが存在する場合には、添付を意味する文言、イメージ又はアイコンの中で少なくとも１つが添付ボタン４５０、  又はチャンネル選択ボタン４６０上に表示される。また、上記メッセージに添付された資料の個数を示す指標が添付ボタン４５０、メッセージ、又はチャンネル選択ボタン４６０上に表示される。上記指標は上記添付された資料の個数を示すアラビア数字、ローマ数字、又はサムネイルの中少なくとも１つを含む。
【００９６】
添付ボタン４５０を選択した場合、上記メッセージに資料を添付するためのオプション窓を表示するように、制御部１４０は制御する。制御部１４０は上記オプション窓を表示する際、送信可能なチャンネルのアイコンを活性化するように制御する。上記オプション窓が表示される際、送信可能なチャンネルのアイコンが活性化される。  
【００９７】
上記メッセージに資料が添付された場合、  上記添付資料を示すアイコン４７０が表示される。アイコン４７０はサムネイル形式、又は任意のイメージ形式で表示される。アイコン４７０上には添付される資料が何か判別できるテキスト文言又は資料の容量が現われることができる。
【００９８】
上記メッセージに添付されるデータの容量が基準容量を超過したり、上記メッセージに添付しようとするデータのタイプが上記送信可能なチャンネルのタイプとは異なってアップロードされない場合、  他のチャンネルへの変更を提案するように、制御部１４０は制御する。
【００９９】
図５は、本発明の一実施例による統合メッセージ送信方法を示すフローチャートである。
図１の統合アプリケーション駆動部１５０はメッセージ統合アプリケーションを駆動する。メッセージ統合アプリケーションが駆動された場合、携帯端末機に表示される内容に対しては前述の図２乃至図４を参照して説明した。
【０１００】
図１の表示部１２０はメッセージの入力のための入力窓を表示する。
段階５１０において、使用者は上記入力窓を用いてメッセージを入力する。
段階５２０において、図１の制御部１４０は使用者が送信チャンネルを変更したか否かをチェックする。例えば制御部１４０は使用者がチャンネル選択ボタン２３１を選択することによって表示された複数個のチャンネルアイコンの中で１つを選択し、現在使用中のメッセージ送信チャンネルと異なる送信チャンネルを選択したのかをチェックする。
【０１０１】
段階５２０において使用者が送信チャンネルを変更しなければ、段階５４０に進行する。例えば使用者は、既に選択されたチャンネルを変更せずに送る場合、  入力窓にメッセージを入力した後、ただセンドボタン「Ｓｅｎｄ」を選択することで作成したメッセージを既に選択されたチャンネルを通じて送信する。実施例によって、  上記既に選択されたチャンネルは、使用者がメッセージを送信しようとする相手との通信で最近に用いたチャンネルであるか、上記既に選択されたチャンネルは使用者が予め設定しておいたチャンネルであるか、上記既に選択されたチャンネルは使用者が最近の一定期間の間、最も多く用いたチャンネルであるか、又は、上記既に選択されたチャンネルは相手によって使用者が予め設定しておいたチャンネルである。
【０１０２】
段階５２０で使用者が送信チャンネルを変更した場合、段階５３０でメッセージを送信する送信チャンネルが選定される。例えば、使用者が図２のチャンネル選択ボタン２３１を選択することによって、  メッセージ送信方式が互いに異なる少なくとも２つのチャンネルを含む複数のチャンネルに対するチャンネルアイコン３００が表示される（図３参照）。
メッセージ送信方式が互いに異なる少なくとも２つのチャンネルを含む複数のチャンネルそれぞれのアイコンは隠された状態にある際に、上記使用者のチャンネル選択ボタンの選択に応答して、上記複数のチャンネルそれぞれのアイコン３００が携帯端末機上に表示される。次いで、使用者は上記表示されたチャンネルアイコン３００の中のいずれか１つを選択することによって、  メッセージを送信する送信チャンネルを選択する。
【０１０３】
段階５４０で図１の制御部１４０は使用者がメッセージに資料添付を要請したのか否かをチェックする。例えば、制御部１４０は使用者が図４の添付ボタン４５０を選択したか否かをチェックすることによって、  使用者がメッセージに資料添付を要請したか否かをチェックする。使用者はメッセージに資料を添付する場合、添付ボタン４５０を選択して上記メッセージに資料を添付するアプリケーションを実行させてオプション窓が表示されるようにする。使用者は上記オプション窓の指示に従って上記資料をメッセージに添付して上記選択されたチャンネルを用いて上記資料が添付されたメッセージを送信する。
上記添付される資料のタイプと上記メッセージのタイプが互いに互換性がない場合、使用者は、段階５５０において、上記資料と互換性がある他のチャンネルに変更できる。この場合、また段階５２０に引き返す。
【０１０４】
携帯用端末機は、段階５６０において、上記変更されたチャンネルを用いて上記メッセージに上記資料を添付し、段階５７０において、上記変更されたチャンネルを用いて上記資料が添付されたメッセージを送信する。
【０１０５】
上述したように、一つの統合されたメッセージ編集機でメッセージを作成及び送信し、  多くの種類のメッセージアプリケーションを別に駆動する必要無しに単一メッセージアプリケーションを通じて色々な種類のメッセージを作成及び送信が可能になる。単一メッセージアプリケーションは、統合ボックス（ｉｎｔｅｇｒａｔｅｄ  ｉｎｂｏｘ）として運用されるのでメッセージ履歴（ｍｅｓｓａｇｅ  ｈｉｓｔｏｒｙ）も一画面で確認可能である。また、使用者は送信しようとするメッセージのタイプによるチャンネル変更が可能である。
【０１０６】
上記統合メッセージ編集機は使用者が作成したメッセージと上記メッセージに添付された資料に合わせてチャンネルを選択する。従って、使用者は受信者だけ決めれば良く、  どんなメッセージアプリケーションを使用するかについて悩む必要がなくなるので管理の便利性が大きくなる。
【０１０７】
図６は、本発明の一実施例によって受信されたメッセージに添付された資料を選択して実行する一例を示す図面である。図６を参照すれば、携帯端末機画面６００に受信人の情報６１０、又は受信されたメッセージ６２０が表示されている。
【０１０８】
受信人の情報６１０は統合メッセージに受信されたメッセージの受信人の情報を表示する。一実施例によれば、受信人の情報６１０は携帯端末機１００でメッセージを送った使用者の情報を表示する。この場合、  受信人の情報６１０は携帯端末機画面６００に表示されたメッセージの通信相手に関する情報を表示する。例えば、  携帯端末機画面６００を表示している携帯端末機１００の使用者が通信相手である  「Ｍａｒｖｉｎ  Ｊａｓｏｎ」と通信したメッセージが携帯端末機画面６００に表示される。即ち、携帯端末機１００の使用者が、受信人を選択するか、又は受信されたメッセージに対して応答する場合、受信人の情報が示される。
【０１０９】
受信されたメッセージ６２０は、他の携帯端末機の使用者（受信人）が携帯端末機１００の使用者に統合メッセージＯＳ（運営体制）を用いて送ったメッセージである。例えば上記他の携帯端末機の使用者が上記メッセージを携帯端末機１００に送信する場合、  携帯端末機１００に受信されたメッセージ６２０は携帯端末機画面６００に表示される。
【０１１０】
メッセージ６２０上には、サムネイル（ｔｈｕｍｂｎａｉｌ）６３０、電話番号リンク（ｐｈｏｎｅ  ｎｕｍｂｅｒ）６４０、ＵＲＬアドレスリンク６５０、テキストリンク（ｔｅｘｔ  ｌｉｎｋ）６６０、又は添付資料のアイコン６７０の中の少なくとも１つが含まれる。サムネイル６３０は、絵（ｐｈｏｔｏ）、音楽（ｍｕｓｉｃ）、ビデオ（ｖｉｄｅｏ）又はファイル（ｆｉｌｅ）資料の中の少なくとも１つを含み、  サムネイル６３０を選択して実行する場合、これと連係された資料６８０が携帯端末機画面６００にディスプレーされる。
例えば、電話番号リンク６４０を選択すれば、インターネット電話が連結され、  上記電話番号を所有した建物の位置を示すマップが連携資料６８０として携帯端末機画面６００にディスプレーされる。ＵＲＬアドレスリンク６５０を選択すれば対応するウェブ画面に直接連結されて携帯端末機画面６００にディスプレーされる。テキストリンク（ｔｅｘｔ  ｌｉｎｋ）６６０を選択すればこれと連係された位置を示すマップ、地下鉄マップ、  又はウェブ画面等が携帯端末機画面６００にディスプレーされる。添付資料のアイコン６７０を選択すればメッセージ６２０に添付された資料が携帯端末機画面６００にディスプレーされる。即ち、受信されたメッセージ６２０に添付されたサムネイル６３０、  電話番号リンク６４０、ＵＲＬアドレスリンク６５０、  又はテキストリンク６６０の中の少なくとも１つを選択し、これと連携資料６８０が携帯端末機画面６００にディスプレーされる。
【０１１１】
図７は、例示的実施例によってメッセージに添付された資料のナビゲーションを実行する一例を示す図面である。図７を参照すれば、受信されたメッセージ６２０に添付された連携資料７１０が選択されて携帯端末機画面６００にディスプレーされた状態を示す。
【０１１２】
携帯端末機は受信メッセージ６２０と連関された他の受信メッセージを検索し、  受信メッセージ６２０に添付された連携資料７１０が選択される場合、  上記他の受信メッセージに添付された連携資料７２０を検索する。上記検索された連携資料７２０は使用者のジェスチャーに従って携帯端末機画面６００にディスプレーできる。例えば上記受信メッセージと連関された他の受信メッセージが検索され、  上記検索された他の受信メッセージが上記受信メッセージと共に表示窓に表示される。
【０１１３】
携帯端末機はメッセージを受信する場合、  上記メッセージと共に上記メッセージの送信人に関する情報を貯蔵する。また、メッセージを送信する場合、携帯端末機は上記メッセージと共に上記メッセージの受信人に関する情報を貯蔵する。このようにメッセージ、上記メッセージの送信人及び／又は受信人情報を用いて受信されたメッセージと連関されたメッセージを検索できる。例えば受信されたメッセージの送信人と同一の送信人及び／又は受信人のメッセージを検索して上記表示窓に表示する。
さらに他の例によれば、受信されたメッセージが以前の他のどんなメッセージの応答であるのかに関する情報をチェーン形態で記録しておいて、  これを用いて受信されたメッセージと連関されたメッセージを検索する。
【０１１４】
添付された連携資料７１０が携帯端末機画面６００にディスプレーされた状態で、使用者のジェスチャーに従って連携資料７１０が携帯端末機画面６００で消えて連携資料７２０が携帯端末機画面６００にディスプレーできる。連携資料７１０及び連携資料７２０は互いに異なるメッセージに添付された資料である。即ち、本実施例においては資料が添付されたメッセージを経由せず、直接メッセージに添付された資料の間を使用者がナビゲーションする。
【０１１５】
本実施例によれば、使用者は受信メッセージの添付資料を選択し、一定のジェスチャーを入力することによって、  上記受信メッセージの添付資料だけではなく他のメッセージに添付された資料もナビゲーションできる。即ち、受信メッセージＡに添付された資料  Ａ１と連関された資料Ａ２（上記資料Ａ２はメッセージＢに添付されている）をナビゲーションするためにメッセージＢを使用者が選択する必要がなく、直接、資料Ａ１から資料Ａ２をナビゲーションできる。即ち、メッセージを経ず互いに連関されたメッセージに添付された資料をナビゲーションしてディスプレーできる。
【０１１６】
受信メッセージの添付された連携資料７１０と上記他の受信されたメッセージの添付された連携資料７２０の間のナビゲーションは以下のようである。
携帯端末機は予め決めたスクリーンタッチの信号に応答して添付された連携資料７１０を実行するためのアプリケーションを実行する。さらに、携帯端末機は受信メッセージ６２０の添付された連携資料７１０を実行して実行された連携資料７１０を携帯端末機画面６００に表示する。
【０１１７】
上記予め決定されたスクリーンタッチの信号は、使用者が添付ファイルアイコンは選択するか、又は使用者が携帯端末機画面６００にジェスチャーをした場合である。上記ジェスチャーは例えば、フリック（ｆｌｉｃｋ）、  ドラッグ（ｄｒａｇ）、  クリック（ｃｌｉｃｋ）、  タッグ（ｔａｇ）、又はタッチ（ｔｏｕｃｈ）中のいずれか１つである。
【０１１８】
連携資料７１０が携帯端末機画面６００に表示されて連携資料７１０が表示された携帯端末機画面６００上にジェスチャーが感知される場合、  携帯端末機は上記アプリケーションを通じて上記他の受信メッセージに添付された連携資料７２０を実行し、上記他の受信メッセージに添付された資料を携帯端末機画面６００に表示する。
【０１１９】
携帯端末機は、上記ジェスチャーを通じて使用者が上記受信メッセージの添付資料と上記他の受信メッセージの添付資料の間をナビゲーションできるように上記表示窓を制御する。使用者は、上記ジェスチャーを用いて、受信メッセージ６２０の添付された連携資料７１０と異なる受信メッセージの添付された連携資料７２０が互いに交替に携帯端末機画面６００に示すようにナビゲーションできる。即ち、上記ナビゲーションでは、添付された連携資料７１０が携帯端末機画面６００に表示された状態でジェスチャーが感知されれば添付された連携資料７１０が携帯端末機画面６００で消えて他の添付された連携資料７２０が携帯端末機画面６００に表示される。
【０１２０】
また、実施例によって、携帯端末機画面６００に添付された連携資料７１０、７２０の差異点等を比べるため、携帯端末機は上記添付された連携資料７１０、７２０を１つの画面に共に表示することもできる。これは統合アプリケーション駆動部１５０によって制御される。
【０１２１】
受信メッセージ６２０と上記他の受信メッセージは互いに同一のメッセージタイプ、  又は互いに異なるタイプのいずれかである。また、受信メッセージ６２０と上記他の受信メッセージのタイプに応じて、受信メッセージ６２０の添付された連携資料７１０と他の受信メッセージの添付された連携資料７２０のタイプは同一であるか、  又は異なるタイプの何れかである。
【０１２２】
上記他の受信メッセージが複数の場合、  上記他の受信メッセージに添付された資料も複数であり得る。この場合、上記ナビゲーションを通じて上記資料を携帯端末機画面６００に表示する際、表示される順序は上記他の受信メッセージが受信された時刻の順に従う。
【０１２３】
例えば、  上記ジェスチャーに従って最初に受信されたメッセージの添付資料は最初に携帯端末機画面６００に表示され、  最後に受信されたメッセージの添付資料は最後に携帯端末機画面６００に表示される。又は、反対に最近受信されたメッセージが最初に携帯端末機画面６００に表示され、  最初に受信されたメッセージが最後に携帯端末機画面６００に表示される。この具現のために携帯端末機はメッセージの送信及び／又は受信の際、上記メッセージと共に上記メッセージの送信時間及び／又は受信時間を貯蔵する。携帯端末機は上記貯蔵された送信時間及び／又は受信時間を用いて上記添付された資料の表示手順を決定できる。
【０１２４】
受信されたメッセージ６２０のチャンネルを表示するメニュー窓を携帯端末機画面６００に表示できる。例えば、受信されたメッセージ６２０のチャンネルが何なのか分かるように、上記チャンネルを表示するアイコンが受信されたメッセージ６２０上に表示されるか、又は携帯端末機画面６００上に表示される（図示せず）。例えば、受信されたメッセージ６２０のチャンネルが「Ｇｍａｉｌ」であれば、携帯端末機は受信されたメッセージ６２０に「Ｇｍａｉｌ」に対応するアイコンを表示する。これのために、携帯端末機は受信及び／又は送信メッセージのそれぞれに対応して上記メッセージの送信チャンネルに関する情報を貯蔵する。また、各送信チャンネルに対応したアイコンも携帯端末機に貯蔵される。上記メニュー窓は、アイコン、サムネイル、コンテンツ、リスト、又はバー（ｂａｒ）などの中のいずれか１つである。この場合、チャンネルに対応するアイコン、サムネイル、コンテンツ、  リスト、  又はバー（ｂａｒ）に対する情報が携帯端末機に貯蔵される。
【０１２５】
受信メッセージ６２０と連関された他のメッセージは、受信メッセージ６２０と同一の使用者の他のメッセージ、受信メッセージ６２０と同一の受信人の他のメッセージ、受信メッセージ６２０と同一の送信人の他のメッセージ、  受信メッセージ６２０と同一のディレクトリ内の他のメッセージ、  又は受信メッセージ６２０と同一のフォルダ内の他のメッセージの中で少なくとも１つを含む。
【０１２６】
図８は例示的実施例によって、メッセージに資料を添付する場合、上記資料が添付可能なチャンネルに変換する一例を示す図面である。
図８を参照すれば、  入力窓８１０にメッセージが入力されて資料を添付するために添付ボタン８２０が選択された場合に、  隠された状態にある複数のチャンネルそれぞれのアイコン８３０が表示される。
【０１２７】
複数のチャンネルの中で上記資料が添付可能なチャンネルは活性化されて表示され、  上記資料が添付不可能なチャンネルは非活性されて表示される。
【０１２８】
一例で、上記メッセージのタイプ、又は上記添付される資料のタイプと複数のチャンネルのタイプの間に互換性があれば上記チャンネルが活性化されて表示され、互換性がない場合には上記チャンネルが非活性化されて表示される。例えば使用者がメッセージを作成した場合、  上記メッセージの送信が不可能なチャンネルはチャンネルアイコンが非活性化されて表示される。
【０１２９】
使用者は互換性があるチャンネルの中で一つを選択することができ、  互換性があるチャンネルの中で最も多く使用されたチャンネルが自動選択されるようにもできる。既に選択されたチャンネルが上記資料と互換性がない場合には互換性がある他のチャンネルに変更を勧めるメニュー窓（図示せず）が実行される。
【０１３０】
上記使用者は上記メニュー窓に従って任意のチャンネルを選択することもできる。
統合アプリケーションを用いて上記メッセージのタイプと上記資料のタイプが互いに違っても互換性があれば、  上記選択されたチャンネルで上記資料が添付されたメッセージを他の使用者に送信できる。
【０１３１】
図９は、本発明の他の一実施例による統合メシジを用いた添付資料の受信及びナビゲーションを説明するためのフローチャートである。
段階９１０において携帯端末機はメッセージを受信する。受信されたメッセージは携帯端末機の表示窓に表示される。また、上記受信メッセージと連関された他の受信メッセージが検索され、  上記検索された他の受信メッセージが上記受信メッセージと共に表示窓に表示される。携帯端末機はメッセージを受信する場合、上記メッセージと共に上記メッセージの送信人に関する情報を貯蔵する。また、メッセージを送信する場合、  携帯端末機は上記メッセージと共に上記メッセージの受信人に関する情報を貯蔵する。
上述の結果、メッセージ、上記メッセージの送信人及び／又は受信人情報を用いて受信されたメッセージと連関されたメッセージを検索できる。例えば、受信されたメッセージの送信人と同一の送信人及び／又は受信人のメッセージを検索して上記表示窓に表示する。さらに他の例によれば、受信されたメッセージが以前の他のどんなメッセージの応答であるのかに関する情報をチェーン形態で記録しておいて、  これを用いて受信されたメッセージと連関されたメッセージを検索できる。
【０１３２】
段階９１０において端末機は使用者が受信されたメッセージに添付された添付資料を選択したのかチェックする。受信されたメッセージに添付された添付資料が無いか、又は使用者が受信されたメッセージ中の添付資料を選択しない場合、段階９５０に進行する。
【０１３３】
段階９２０において使用者がメッセージに添付された添付資料を選択すれば、携帯端末機は、段階９３０において携帯端末機の画面上に上記添付資料を表示する。段階９３０は実施例によっては省略される。
【０１３４】
段階９２０で受信メッセージに添付された資料が選択される場合、  段階９４０で携帯端末機は上記受信メッセージと連関された他の受信メッセージに添付された資料を検索する。上記他の受信メッセージに添付された資料を検索する上記過程は、上記受信メッセージとタイプが同一の上記他の受信メッセージに添付された資料を検索する過程と、上記受信メッセージとタイプが他の上記他の受信メッセージに添付された資料を検索する過程と、を含む。
上記受信メッセージと同一タイプのメッセージは、上記受信メッセージとメッセージ送信方式が同一のメッセージであり得る。本過程の具現のために携帯端末機は各受信及び／又は送信メッセージに対応してメッセージタイプを貯蔵する。例えば携帯端末機は上記受信メッセージと同一タイプの他の受信メッセージに添付された資料を検索し、及び／又は上記受信メッセージとメッセージタイプが異なる上記他の受信メッセージに添付された資料を検索することができる。
【０１３５】
上記資料が表示された携帯端末機画面にジェスチャーが感知される場合、使用者は、段階９４０において、統合アプリケーションを用いて上記メッセージと連携された他のメッセージを検索する。検索された他のメッセージで添付された資料がある場合、携帯端末機は上記添付された資料を携帯端末機画面６００に表示して使用者がナビゲーションできるようにする。検索された他のメッセージに添付された資料がない場合、  使用者は続いてまた他のメッセージを検索して添付された資料を捜す。上記検索及び捜索過程は上記統合アプリケーションを用いて具現される。
【０１３６】
段階９５０において使用者は受信されたメッセージに対する返信を送信するか否かを決定する。段階９５０において使用者が返信を送信しないことに決定した場合、統合メッセージＯＳは終了する。
【０１３７】
上記メッセージに対して返信を送信する場合、  使用者は既に選択されたチャンネルを用いて上記メッセージの返信を送信するか、  又は送信可能な他のチャンネルを選択して上記メッセージの返信を送信する。
【０１３８】
段階９６０でメッセージの返信を送信する送信チャンネルを変更しない場合、  段階９９０で進行して作成されたメッセージの返信を送信チャンネル変更無しに使用中の送信チャンネルを用いて発信する。
【０１３９】
メッセージの返信を送信する送信チャンネルを変更する場合、使用者は段階９７０においてチャンネル選択ボタンを選択する。そして使用者は段階９８０で返信を送信する送信チャンネルを選択して返信を発送する（段階９９０）。
【０１４０】
統合アプリケーションを用いると、受信メッセージに添付された資料と上記受信メッセージと連携された他の受信メッセージに添付された資料は連動して見られる。上記メッセージを通じてではなく、上記添付資料の間のナビゲーションができるので、上記添付された資料を独立的に確認できる。また、添付された資料とチャンネルの間の互換性が表示されているので、上記チャンネル選択が容易にできる。
【０１４１】
本発明の実施例による方法は、多様なコンピューター手段を通じて遂行されるプログラム命令形態に具現され、コンピューター判読可能媒体に記録できる。上記コンピューター判読可能媒体はプログラム命令、データ資料、データ構造等を単独で又は組み合わせて含む。上記媒体に記録されるプログラム命令は本発明のために特別に設計されて構成されたものであるか、又はコンピューターソフトウェア当業者にとり公知且つ使用可能なものである。
【０１４２】
以上のように、本発明は限定された実施例と図面によって説明されたが、  本発明は上記の実施例に限定されるのではなく、  本発明が属する分野で通常の知識を有する者であればこのような記載から多様な修正及び変形が可能であろう。それゆえ、本発明の範囲は説明された実施例によって制限されず、  後述する特許請求範囲及びこの特許請求範囲と均等なもの等によって決定されるべきである。
【符号の説明】
【０１４３】
１００      携帯端末機
１１０      入力部
１２０      表示部
１３０      貯蔵部
１４０      制御部
１５０      統合アプリケーション駆動部
２００      ユーザー  インターフェース
２１０      使用者情報窓
２２０、４２５      表示窓
２２１      受信されたメッセージ
２２２      送信されたメッセージ
２３０      統合メッセージ編集機
２３１、３１０、４１０、４６０      チャンネル選択ボタン
２３２、３２０、４２０、４４０、８１０      入力窓
２３３、４５０、８２０      添付ボタン
３００、８３０      チャネルアイコン
４３０      背景画面
４７０      添付資料を示すアイコン
６００      携帯端末機画面
６１０      受信人の情報
６２０      受信されたメッセージ
６３０      サムネイル
６４０      電話番号リンク
６５０      ＵＲＬアドレスリンク
６６０      テキストリンク
６７０      添付資料のアイコン
６８０、７１０、７２０      連携資料
【図１】
0005833656.tif 000002
【図２】
0005833656.tif 000003
【図３】
0005833656.tif 000004
【図４】
0005833656.tif 000005
【図５】
0005833656.tif 000006
【図６】
0005833656.tif 000007
【図７】
0005833656.tif 000008
【図８】
0005833656.tif 000009
【図９】
0005833656.tif 000010